(57)【要約】  リンク制御部（２０）は、アライメント格納部（２１）にアライメント値が格納されてからの、経過時間とＦＭ放送の受信状態の変化とのうちの少なくとも一方に基づいて、アライメント格納部（２１）に格納されたアライメント値の更新の要否を判定する。アライメント値演算部（２２）は、更新要と判定されると、アライメント格納部（２１）に格納されたアライメント値を更新する。音声制御部（３００）は、更新されたアライメント値を用いて、ＤＡＢからＦＭ放送に受信対象が切り替えられるときにＦＭ放送の音声データの出力状態を調整する。
2017195327.tif 000002
【特許請求の範囲】
【請求項１】
受信されている第１の放送から当該第１の放送とは受信周波数が異なる同一内容の番組を含む第２の放送に受信対象を切り替えるときに、前記第２の放送の受信データについての出力状態を、切り替え前の前記第１の放送の受信データについての出力状態に合わせるアライメント値を計測するアライメント計測部と、
前記アライメント計測部によって予め計測された、前記第１の放送からの代替え候補局となる前記第２の放送の受信データについてのアライメント値が格納されたアライメント格納部と、
前記第１の放送から前記第２の放送への受信対象の切り替えを制御するとともに、前記アライメント格納部にアライメント値が格納されてからの、経過時間と前記第２の放送の受信状態の変化とのうちの少なくとも一方に基づいて、前記アライメント格納部に格納されたアライメント値の更新の要否を判定するリンク制御部と、
前記リンク制御部によって更新要と判定された場合に、前記アライメント格納部に格納されたアライメント値を更新するアライメント更新部と、
前記アライメント格納部に格納されたアライメント値を用いて、前記第１の放送から前記第２の放送に受信対象が切り替えられるときに当該第２の放送の受信データの出力状態を調整する出力制御部と
を備えたことを特徴とする放送受信装置。
【請求項２】
前記リンク制御部は、前記アライメント格納部にアライメント値が格納されてからの経過時間が予め定められた上限時間以上である場合に、更新要と判定することを特徴とする請求項１記載の放送受信装置。
【請求項３】
前記リンク制御部は、前記経過時間が前記上限時間未満であるが、前記アライメント格納部にアライメント値が格納されてから前記第２の放送の受信状態が閾値以上に変化した場合、更新要と判定することを特徴とする請求項２記載の放送受信装置。
【請求項４】
前記リンク制御部は、前記経過時間が前記許容時間未満であり、前記アライメント格納部にアライメント値が格納されてから、前記第２の放送の受信状態の変化が前記閾値未満であった場合、更新否と判定することを特徴とする請求項２記載の放送受信装置。
【請求項５】
前記アライメント計測部は、出力状態を示すパラメータの値を予め決められたアライメント取得回数だけ取得して平均した値をアライメント値とし、
前記アライメント更新部は、前記リンク制御部によって更新要と判定された場合、前記アライメント取得回数よりも少ない回数で前記アライメント計測部によって新たに計測されたアライメント値と前記アライメント格納部に格納されているアライメント値とを平均した値を、更新値とすることを特徴とする請求項１記載の放送受信装置。
【請求項６】
前記第１の放送は、デジタルオーディオ放送であり、
前記第２の放送は、ＦＭ放送であることを特徴とする請求項１記載の放送受信装置。
【発明の詳細な説明】
【技術分野】
【０００１】
この発明は、放送を受信する放送受信装置に関する。
【背景技術】
【０００２】
欧州などでは、ＤＡＢ（Ｄｉｇｉｔａｌ  Ａｕｄｉｏ  Ｂｒｏａｄｃａｓｔｉｎｇ）を受信する放送受信装置が普及している。この放送受信装置には、ＤＡＢの受信状態が悪化した場合に、同一内容の番組を放送しているＦＭ放送を受信する、いわゆるＤＡＢ−ＦＭリンクと呼ばれる機能が備わっている。【０００３】
ただし、ＤＡＢ−ＦＭリンクでは、ＦＭ放送の音声の出力状態がＤＡＢとは異なる場合があり、ＤＡＢからＦＭ放送に切り替わったときに音声の出力音量が大きく変化することがある。このような音声の出力状態の変化は、ＤＡＢからＦＭ放送に切り替わったことをユーザに不要に意識させて違和感を持たせることになり、好ましくない。
そこで、従来の放送受信装置では、ＦＭ放送の音声の出力状態を切り替え前のＤＡＢの音声の出力状態に合うようにアライメントする場合があった。【０００４】
例えば、特許文献１に記載される放送受信装置では、受信しているＤＡＢと同一番組を放送しているＦＭ放送をサーチすると、サーチしたＦＭ放送の音声の出力状態を、受信中のＤＡＢの音声の出力状態に合わせるアライメント値を計測している。
このように切り替え前に計測されたアライメント値は、メモリに格納される。
そして、この放送受信装置は、ＤＡＢからＦＭ放送へ切り替えるときに、メモリに予め格納しておいたアライメント値を用いて出力状態をアライメントする。
このようにすることで、切り替え後のＦＭ放送の音声の出力状態が切り替え前のＤＡＢの音声の出力状態から変化が少ないシームレスな切り替えの実現を図っている。
【先行技術文献】
【特許文献】
【０００５】
【特許文献１】特開２００２−９６４７号公報
【発明の概要】
【発明が解決しようとする課題】
【０００６】
なお、ＤＡＢの音声の出力状態とＦＭ放送の音声の出力状態を合わせるアライメントを行うには、音声の出力状態に関する様々なパラメータについてアライメント値を計測する必要があり、十数秒の時間を要するのが通常である。従って、前述したようなシームレスな切り替えを行うには、アライメントが完了するまでＦＭ放送への切り替えを待つ必要がある。この場合、ユーザは、受信状態が悪化して音質が劣化しているＤＡＢの音声を聴取し続けなければならなかった。【０００７】
これに対し、特許文献１に記載される放送受信装置では、メモリに予め格納しておいたアライメント値を用いてアライメントを行うので、切り替えごとにアライメント値を計測していない。このため、アライメント値の計測に要する時間だけシームレスな切り替えが行われるまでの待ち時間を短縮することができる。【０００８】
しかしながら、放送の音声の出力状態は、放送の受信品質、受信電界強度といった受信状態が大きく変化すると、これに応じて変化する場合がある。
例えば、移動体に搭載された放送受信装置が移動しながら放送を受信する場合に、その移動に伴って受信状態が急激に変化すると、これに応じて受信している放送の出力音量が変化することがある。このため、アライメント値がメモリに格納されてから、放送の受信状態が大きく変化した場合、メモリに格納したアライメント値を用いても音声の出力状態を適切に調整できない可能性があった。【０００９】
この発明は上記課題を解決するもので、受信周波数が異なる放送間で同一内容の番組を一方の放送から他方の放送に切り替えて受信するときに、受信データの出力状態の変化を抑制することができる放送受信装置を得ることを目的とする。
【課題を解決するための手段】
【００１０】
この発明に係る放送受信装置は、アライメント計測部、アライメント格納部、リンク制御部、アライメント更新部および出力制御部を備える。
アライメント計測部は、受信されている第１の放送から当該第１の放送とは受信周波数が異なる同一内容の番組を含む第２の放送に受信対象を切り替えるときに、第２の放送の受信データについての出力状態を、切り替え前の第１の放送の受信データについての出力状態に合わせるアライメント値を計測する。アライメント格納部には、アライメント計測部によって予め計測された、第１の放送からの代替え候補局となる第２の放送の受信データについてのアライメント値が格納される。リンク制御部は、第１の放送から第２の放送への受信対象の切り替えを制御するとともに、アライメント格納部にアライメント値が格納されてからの、経過時間と第２の放送の受信状態の変化とのうちの少なくとも一方に基づいて、アライメント格納部に格納されたアライメント値の更新の要否を判定する。アライメント更新部は、リンク制御部によって更新要と判定されると、アライメント格納部に格納されたアライメント値を更新する。出力制御部は、アライメント格納部に格納されたアライメント値を用いて、第１の放送から第２の放送に受信対象が切り替えられるときに当該第２の放送の受信データの出力状態を調整する。
【発明の効果】
【００１１】
この発明によれば、受信されている第１の放送から、この第１の放送とは受信周波数が異なる同一内容の番組を含む第２の放送に受信対象を切り替えるときに、予め用意されたアライメント値を適切に更新して第２の放送の受信データの出力状態を調整する。
このようにすることで、第１の放送から受信対象を第２の放送に切り替えたときに受信データの出力状態の変化を抑制することができる。
【図面の簡単な説明】
【００１２】
【図１】この発明の実施の形態１に係る放送受信装置の構成を示すブロック図である。
【図２】実施の形態１に係る放送受信装置の動作を示すフローチャートである。
【発明を実施するための形態】
【００１３】
以下、この発明をより詳細に説明するため、この発明を実施するための形態について、添付の図面に従って説明する。
実施の形態１．
図１はこの発明の実施の形態１に係る放送受信装置１の構成を示すブロック図である。
放送受信装置１は、例えば、ＤＡＢとＦＭ放送の両方の受信が可能であり、車両などの移動体に搭載または持ち込まれて移動体とともに移動しながら放送を受信する。
なお、ＤＡＢは、この発明における第１の放送を具体化したものであり、ＦＭ放送は、この発明における第２の放送を具体化したものである。
【００１４】
また、放送受信装置１は、システムマイコン２とデコーダマイコン３とを備えている。
２つのＤＡＢ用のチューナ４ａ，４ｂおよびＦＭチューナ４ｃは、システムマイコン２によって制御され、デコーダマイコン３は、外部アンプ５からスピーカ６への音声出力を制御する。
【００１５】
システムマイコン２は、チューナ４ａ，４ｂおよびＦＭチューナ４ｃを用いた受信動作を制御するマイクロコンピュータである。その機能として、リンク制御部２０、アライメント格納部２１、アライメント値演算部２２、チューナ制御部２３、およびタイマ２４を備える。また、デコーダマイコン３は、ＤＡＢ用のチューナ４ａ，４ｂで受信された放送信号をデコードするデコーダ部３０を備える。デコーダ部３０は、その機能として、音声制御部３００、電界強度計測部３０１、受信品質計測部３０２およびアライメント計測部３０３を備える。
【００１６】
チューナ４ａ，４ｂは、不図示のＤＡＢ用のアンテナで受信されたＤＡＢの電波から、チューナ制御部２３によって設定された受信周波数の放送信号を抽出し、この放送信号に復調処理を実行して音声データを取得する。
例えば、チューナ４ａおよびチューナ４ｂのうちの一方をメインチューナとし、他方をサブチューナとして、メインチューナがＤＡＢの放送を受信している間に、サブチューナが、受信可能な他のＤＡＢ放送局をサーチする。
【００１７】
ＦＭチューナ４ｃは、不図示のＦＭ放送用のアンテナで受信された電波から、チューナ制御部２３により設定された受信周波数の放送信号を抽出し、この放送信号に復調処理を実行して音声データを取得する。なお、この音声データが、この発明における受信データの一例である。さらに、ＦＭチューナ４ｃは、チューナ４ａ，４ｂのいずれかで受信しているＤＡＢと同一内容の番組を含むＦＭ放送をバックグラウンドでサーチする。
【００１８】
外部アンプ５は、音声制御部３００から入力した音声信号を増幅してスピーカ６に出力する。外部アンプ５による音声信号の増幅度は、音声制御部３００から設定される。
なお、スピーカ６は、外部アンプ５で増幅された音声信号を出力するスピーカであり、例えば、放送受信装置１が車載用の放送受信装置である場合に、スピーカ６は、車室内に設けられた車載用スピーカにより実現される。
【００１９】
リンク制御部２０は、受信されているＤＡＢから同一内容の番組を含むＦＭ放送に受信対象を切り替えるＤＡＢ−ＦＭリンクを制御する。
さらに、リンク制御部２０は、アライメント格納部２１にアライメント値が格納されてからの、経過時間とＦＭ放送の受信状態の変化とのうちの少なくとも一方に基づいて、アライメント格納部２１に格納されているアライメント値の更新の要否を判定する。
【００２０】
ここで、アライメント値とは、ＤＡＢ−ＦＭリンクにおいて、放送受信装置１が、切り替え候補のＦＭ放送を受信したときの音声の出力状態を、切り替え前のＤＡＢの出力状態に合わせるものである。なお、音声の出力状態は、例えば、出力音量、位相などのパラメータによって特定される。すなわち、アライメント値は、ＤＡＢの音声とＦＭ放送の音声との出力音量差、位相差であり、切り替え候補のＦＭ放送の音声を出力する場合、これらの差が低減されるように信号の増幅度、位相が調整される。
【００２１】
また、リンク制御部２０は、アライメント格納部２１にアライメント値が格納されてから経過した時間が一定時間以上になると、アライメント値の更新要であると判定する。
一方、リンク制御部２０は、上記経過時間が一定時間未満であるが、アライメント格納部２１にアライメント値が格納されてからＦＭ放送の受信状態を示すレベルが閾値以上に変化した場合においても、アライメント値の更新要であると判定する。
ここで、前述した受信状態とは、例えば、ＦＭ放送の受信品質、受信電界強度といったパラメータによって特定される状態であり、これらのパラメータのレベル差が閾値以上になった場合、ＦＭ放送の音声の出力状態も変化したと判断される。
【００２２】
アライメント格納部２１は、アライメント計測部３０３により計測されたアライメント値が格納される記憶部である。例えば、受信されているＤＡＢの受信状態が悪化したときの代替え候補局となる、１または複数のＦＭ放送の放送局を示す情報と、これに対応するアライメント値とがリスト形式のデータで格納される。
【００２３】
アライメント値演算部２２は、この発明におけるアライメント更新部を具体化した構成要素であり、アライメント格納部２１に格納されているアライメント値を更新する演算を行う。なお、アライメント計測部３０３は、ＤＡＢとＦＭ放送との音声の出力状態を示すパラメータの値を予め決められたアライメント取得回数だけ取得し、これらを平均した値をアライメント値としている。リンク制御部２０は、アライメント値の更新要と判定すると、アライメント計測部３０３に対して、このアライメント取得回数よりも少ない回数でアライメント値を新たに計測するように指示する。
そして、アライメント値演算部２２は、アライメント計測部３０３によって新たに計測されたアライメント値と、アライメント格納部２１に格納されている、上記アライメント取得回数の残りの回数分のアライメント値とを平均した値を更新値とする。
これにより、アライメント計測部３０３によって新たに計測すべきアライメント値の数が減ることから、アライメント値の更新に要する時間を大幅に短縮することができる。
【００２４】
チューナ制御部２３は、チューナ４ａ，４ｂおよびＦＭチューナ４ｃの選局動作を制御する。また、ＤＡＢ−ＦＭリンクにおいて、チューナ制御部２３は、リンク制御部２０から指定された代替え候補局を選局するようにＦＭチューナ４ｃに指示する。
タイマ２４は、アライメント格納部２１にアライメント値が格納されてからの経過時間を計時する。タイマ２４の計時情報は、リンク制御部２０によって参照される。
【００２５】
音声制御部３００は、この発明における出力制御部を具体化した構成要素であって、アライメント格納部２１に格納されたアライメント値を用いて、ＤＡＢから切り替えられたＦＭ放送の音声の出力状態を調整する。このように、音声制御部３００は、アライメント格納部２１に予め格納されたアライメント値を用いるので、切り替えごとにアライメント値を計測しなくてもよい。このため、アライメント値の新たな計測に要する時間分だけ、ＤＡＢからＦＭ放送へのシームレスな切り替えが行われるまでの待ち時間を短縮することができる。
【００２６】
電界強度計測部３０１は、チューナ４ａ，４ｂとＦＭチューナ４ｃとのそれぞれで受信された放送信号の受信電界強度を計測する。
受信品質計測部３０２は、チューナ４ａ，４ｂとＦＭチューナ４ｃとのそれぞれで受信された放送信号の受信品質を計測する。
なお、受信品質とは、受信された放送信号の受信品質の指標となるパラメータであり、例えば、放送信号の復調信号を復号して得られる信号のビットエラーレートなどがある。
【００２７】
アライメント計測部３０３は、代替え候補局のＦＭ放送の音声の出力状態を切り替え前のＤＡＢの出力状態に合わせるアライメント値を計測する。
例えば、ＤＡＢの放送信号とＦＭ放送の放送信号とをデコードして得られた、ＤＡＢの音声データとＦＭ放送の音声データとの間の出力音量差および位相差を、アライメント値として計測する。
【００２８】
なお、出力音声差、位相差などは、ノイズの影響で本来の値からずれる可能性がある。
このため、アライメント計測部３０３は、代替え候補局のＦＭ放送の音声データと受信されているＤＡＢの音声データとを同期させた状態で、これらの出力音量、位相を、予め決められたアライメント取得回数だけ取得し、これらの平均値をアライメント値とする。
【００２９】
次に動作について説明する。
図２は、放送受信装置１の動作を示すフローチャートであって、実施の形態１におけるＤＡＢ−ＦＭリンクの一連の処理を示している。
チューナ４ａは、チューナ制御部２３から指定されたＤＡＢのサービスＡの放送を選局して受信する（ステップＳＴ１）。このとき、リンク制御部２０は、サービスＡと同一の内容の番組を含むＦＭ放送を行っている代替え候補局をサーチするようにチューナ制御部２３に指示する。
【００３０】
チューナ制御部２３は、リンク制御部２０の指示に従ってＦＭチューナ４ｃを制御することにより、サービスＡと同一の内容の番組を含むＦＭ放送を行っている代替え候補局をサーチする（ステップＳＴ２）。
ＦＭチューナ４ｃは、代替え候補局のＦＭ放送を受信すると、受信信号を復調処理して音声データを再生する。この音声データはアライメント計測部３０３に出力される。
アライメント計測部３０３は、代替え候補局から受信された音声データを入力したことをリンク制御部２０に通知する。
【００３１】
次に、リンク制御部２０は、アライメント格納部２１に格納されているアライメント値のリストに、サービスＡでの音声データと、代替え候補局から受信された音声データとのアライメント値があるか否かを確認する（ステップＳＴ３）。
代替え候補局についてのアライメント値がアライメント格納部２１のリストにない場合（ステップＳＴ３；ＮＯ）、リンク制御部２０は、アライメント計測部３０３に対して、この代替え候補局についてのアライメント値を計測するように指示する。
【００３２】
アライメント計測部３０３は、ＦＭチューナ４ｃによって代替え候補局から受信された放送の音声データを取得し、チューナ４ａによって受信されているＤＡＢの音声データを取得して、これらのアライメント値を計測する（ステップＳＴ４）。
ここで、アライメント計測部３０３は、下記式（１）に従って、アライメント値を算出する。下記式（１）において、ｚは、ＤＡＢ−ＦＭリンクにおいて音声の出力状態の調整に使用されるアライメント値である。ｘは、予め決められたアライメント取得回数ｙだけ音声データから取得されたアライメント値である。
ｚ＝（ｘ１＋ｘ２＋ｘ３＋・・・＋ｘ（ｙ−１）＋ｘｙ）／ｙ      （１）
【００３３】
例えば、音声の出力音量のアライメント値を取得する場合、アライメント計測部３０３は、代替え候補局から受信された放送の音声データとＤＡＢの音声データとを同期させた状態で、アライメント取得回数ｙ分の各ポイントにおいて出力音量差を計測する。
これらの出力音量差が、上記式（１）における、ｘ１、ｘ２、ｘ３、・・・、ｘ（ｙ−１）、ｘｙとなる。アライメント計測部３０３は、上記式（１）に従って、これらの出力音量差の平均値を、最終的なアライメント値として算出する。このようにして音声の出力状態に関するパラメータごとにアライメント値が算出される。
【００３４】
ステップＳＴ４において計測されたアライメント値は、アライメント計測部３０３からリンク制御部２０へ出力され、リンク制御部２０によってアライメント格納部２１に格納される（ステップＳＴ５）。この後、ステップＳＴ１２の処理に移行する。
【００３５】
一方、代替え候補局についてのアライメント値がアライメント格納部２１にある場合（ステップＳＴ３；ＹＥＳ）、ステップＳＴ６の処理に移行する。
ステップＳＴ６において、リンク制御部２０は、タイマ２４の計時情報を参照することにより、上記アライメント値がアライメント格納部２１のリストに格納されてから一定の時間が経過しているか否かを判定する。ここで、一定の時間とは、アライメント値が有効と考えられる上限時間であり、例えば、１０分程度の時間が設定される。
【００３６】
また、タイマ２４は、アライメント格納部２１のリストに代替え候補局のアライメント値が格納されるたびに、代替え候補局の識別情報に対応付けて格納時間から経過した時間を計時している。従って、タイマ２４の計時情報を参照することにより、リンク制御部２０は、アライメント値がアライメント格納部２１のリストに格納されてからの経過時間を確認することができる。
【００３７】
アライメント値がリストに格納されてからの経過時間が一定時間以上である場合（ステップＳＴ６；ＹＥＳ）、リンク制御部２０は、リストに格納されたアライメント値の更新要と判定し、アライメント値演算部２２に対してアライメント値の更新を指示する。
アライメント値演算部２２は、リンク制御部２０から更新の指示を受けると、下記式（２）に従って、アライメント値を更新する。
下記式（２）において、ａは、アライメント取得回数ｙよりも少ない更新用の取得回数であり、例えば、ｙ／２とする。また、ｐは、アライメント格納部２１のリストに格納された代替え候補局のアライメント値である。
ｚ＝（ａ×ｐ＋ｘ１＋ｘ２＋ｘ３＋・・・＋ｘ（ａ−１）＋ｘａ）／ｙ    （２）
【００３８】
例えば、リンク制御部２０は、アライメント値の更新要と判定した場合、アライメント取得回数ｙよりも少ない更新用の取得回数ａ分のアライメント値を新たに計測するようにアライメント計測部３０３に指示する。
アライメント値演算部２２は、アライメント格納部２１のリストから、代替え候補局のアライメント値を読み出す（ステップＳＴ７）。
次に、アライメント値演算部２２は、上記式（２）に従って、取得回数ａで新たに計測されたアライメント値と、アライメント格納部２１のリストから読み出したアライメント値とを平均した値を、更新値として算出する（ステップＳＴ８）。
このようにアライメント値の更新において、アライメント格納部２１に格納されていたアライメント値を用いて新たに計測すべきアライメント値を減らしている。これにより、アライメント値の更新に要する時間を大幅に短縮することができる。
【００３９】
ステップＳＴ８で更新されたアライメント値は、アライメント値演算部２２からリンク制御部２０へ出力され、リンク制御部２０によってアライメント格納部２１に格納される（ステップＳＴ９）。この後、ステップＳＴ１２の処理に移行する。
【００４０】
一方、アライメント値がリストに格納されてからの経過時間が一定時間未満である場合（ステップＳＴ６；ＮＯ）、ステップＳＴ１０の処理に移行する。
ステップＳＴ１０において、リンク制御部２０は、アライメント値がアライメント格納部２１のリストに格納されてから、受信状態が一定であったか否かを判定する。
例えば、リンク制御部２０は、電界強度計測部３０１により計測されたＦＭ放送の受信電界強度の変化量と、受信品質計測部３０２により計測されたＦＭ放送の受信品質の変化量とをそれぞれに対応した閾値と比較する。そして、変化量が閾値以上になったものがある場合、受信状態が一定ではなかったと判定する。
また代替え候補局のアライメント値がアライメント格納部２１に格納されてから、ＦＭチューナ４ｃによって当該代替え候補局がサーチされなくなった場合に、受信状態が一定ではなかったと判定してもよい。
【００４１】
代替え候補局のアライメント値がアライメント格納部２１のリストに格納されてから、経過時間が上記一定時間未満であるが、受信状態が一定ではなかった場合（ステップＳＴ１０；ＮＯ）、リンク制御部２０は、アライメント値の更新要と判定する。
すなわち、リンク制御部２０は、アライメント値演算部２２に対してアライメント値の更新を指示する。これにより、前述したステップＳＴ７からのアライメント値の更新処理が実施される。
【００４２】
また、代替え候補局のアライメント値がアライメント格納部２１のリストに格納されてから、経過時間が上記一定時間未満であり、かつ受信状態が一定であった場合（ステップＳＴ１０；ＹＥＳ）、ステップＳＴ１１の処理に移行する。
ステップＳＴ１１において、リンク制御部２０は、チューナ４ａにより受信されているＤＡＢの受信状態が悪化したか否かを判定する。
例えば、音声制御部３００は、電界強度計測部３０１によって計測されたＤＡＢの受信電界強度と、受信品質計測部３０２によって計測されたＤＡＢの受信品質とを、それぞれに対応した許容範囲と比較する。そして、音声制御部３００は、これらのうち許容範囲外になったものがあると、ＤＡＢの受信状態が悪化したと判定する。
【００４３】
ここで、ＤＡＢの受信状態が悪化していなければ（ステップＳＴ１１；ＮＯ）、ＤＡＢ−ＦＭリンクの処理が終了される。なお、図２に示す一連の処理は、定期的またはＤＡＢの別の放送に受信を切り替えた場合に実行される。
一方、ＤＡＢの受信状態が悪化した場合（ステップＳＴ１１；ＹＥＳ）、リンク制御部２０は、ステップＳＴ１２に示すＤＡＢ−ＦＭリンク処理に移行する。
【００４４】
ステップＳＴ１２において、リンク制御部２０は、チューナ制御部２３に対して代替え候補局からのＦＭ放送へ受信対象を切り替えるように指示する。
チューナ制御部２３は、リンク制御部２０から指定された代替え候補局を選局するようにＦＭチューナ４ｃに指示する。ＦＭチューナ４ｃは、ＦＭ放送用アンテナで受信された電波から、チューナ制御部２３によって設定された受信周波数のＦＭ放送信号を抽出して音声制御部３００に出力する。
【００４５】
音声制御部３００は、アライメント格納部２１に格納されたアライメント値を用いて、ＤＡＢから切り替えられたＦＭ放送の音声データがスピーカ６から出力される前に、この音声データの出力状態を調整する。
なお、ここでリストから読み出されるアライメント値は、ステップＳＴ４で計測された代替え候補局のアライメント値、あるいは、ステップＳＴ８で更新された代替え候補局のアライメント値である。
【００４６】
例えば、出力音量のアライメント値である場合、音声制御部３００は、ＦＭ放送の音声データの出力音量が切り替え前のＤＡＢの音声データの出力音量に一致するように、このアライメント値が０になる増幅率を外部アンプ５に設定する。外部アンプ５は、音声制御部３００から設定された増幅率でＦＭ放送の音声データを増幅してからスピーカ６に出力する。これにより、スピーカ６は、ＤＡＢの音声と変わらない出力音量でＦＭ放送の音声を出力する。
【００４７】
また、図２では、アライメント値の更新判定として、経過時間が一定時間以上であるか否かと、受信状態が一定であったか否かを一連の処理として扱ったが、これに限定されるものではない。例えば、これらの判定処理のいずれか一方を行う構成であってもよく、このようにしても上記と同様の効果を得ることができる。
【００４８】
以上のように、実施の形態１に係る放送受信装置１において、ＤＡＢからＦＭ放送への切り替えでアライメント格納部２１に予め格納されたアライメント値を用いてＦＭ放送の音声データの出力状態を調整する。これにより、ＤＡＢからＦＭ放送へシームレスに切り替わるまでの待ち時間を短縮することができる。またアライメント格納部２１に格納したアライメント値を適切に更新することから、ＦＭ放送に切り替えたときの音声の出力状態の変化を的確に抑制することができる。
【００４９】
また、実施の形態１に係る放送受信装置１において、リンク制御部２０は、アライメント格納部２１にアライメント値が格納されてからの経過時間が上限時間以上である場合、更新要と判定する。これにより、更新が必要なアライメント値を適切に判定できる。
【００５０】
さらに、実施の形態１に係る放送受信装置１において、リンク制御部２０は、経過時間が上限時間未満であるが、アライメント格納部２１にアライメント値が格納されてから、ＦＭ放送の受信状態が閾値以上に変化した場合、更新要と判定する。これにより、更新が必要なアライメント値を適切に判定できる。
【００５１】
さらに、実施の形態１に係る放送受信装置１において、リンク制御部２０は、経過時間が許容時間未満であり、アライメント格納部２１にアライメント値が格納されてからＦＭ放送の受信状態の変化が閾値未満であると、更新否と判定する。これにより、更新が必要なアライメント値を適切に判定できる。
【００５２】
さらに、実施の形態１に係る放送受信装置１において、アライメント計測部３０３は、出力状態を示すパラメータの値をアライメント取得回数ｙだけ取得して平均した値をアライメント値とする。アライメント値演算部２２は、アライメント取得回数ｙよりも少ない回数ａで新たに計測されたアライメント値とアライメント格納部２１に格納されたアライメント値とを平均した値を更新値とする。このように構成することで、アライメント計測部３０３によって新たに計測すべきアライメント値の数が減り、アライメント値の更新に要する時間を大幅に短縮することができる。
【００５３】
これまでＤＡＢ−ＦＭリンクについて説明したが、この発明は、これに限定されるものではない。例えば、ＤＡＢの受信状態が悪化した場合に、同一内容の番組を放送しているＤＡＢを受信する、いわゆる、ＤＡＢ−ＤＡＢリンクにも適用することができる。
また、ＨＤ（Ｈｉｇｈ  Ｄｅｆｉｎｉｔｉｏｎ）ラジオといったＤＡＢ以外のサービスにも適用することができる。
さらに、これまでラジオ放送について説明したが、この発明はテレビ放送にも適用することが可能である。
すなわち、この発明は、受信されている第１の放送から当該第１の放送とは受信周波数が異なる同一内容の番組を含む第２の放送に受信対象を切り替える機能であれば適用することができる。
【００５４】
なお、本発明はその発明の範囲内において、実施の形態の任意の構成要素の変形、もしくは実施の形態の任意の構成要素の省略が可能である。
【産業上の利用可能性】
【００５５】
この発明に係る放送受信装置は、受信周波数が異なる放送間で同一内容の番組を一方の放送から他方の放送に切り替えて受信するときの出力状態の変化を抑制できるので、例えば、様々な受信状態の地域に移動する可能性がある車載用放送受信装置に好適である。
【符号の説明】
【００５６】
１  放送受信装置、２  システムマイコン、３  デコーダマイコン、４ａ，４ｂ  チューナ、４ｃ  ＦＭチューナ、５  外部アンプ、６  スピーカ、２０  リンク制御部、２１  アライメント格納部、２２  アライメント値演算部、２３  チューナ制御部、２４  タイマ、３０  デコーダ部、３００  音声制御部、３０１  電界強度計測部、３０２  受信品質計測部、３０３  アライメント計測部。
【図１】
2017195327.tif 000003
【図２】
2017195327.tif 000004
【国際調査報告】
2017195327.tif 000005
2017195327.tif 000006
2017195327.tif 000007
2017195327.tif 000008